(57)【要約】      （修正有）【課題】取付け容易、軽量、固定確実な鉄履帯用ゴムパット及びシュープレート付きゴムパットを得る。【解決手段】鉄履帯に装着されるゴムパットにおいて、下面に取付けボルト付きのパットプレートを固定したゴムパットであり、シュープレートの中央部に相当の間隔をおいてシュープレートの両端部へ独立して着脱できる大きさとしたことを特徴とする鉄履帯用ゴムパット。【選択図】図１
0003126391.tif 000002
【実用新案登録請求の範囲】
【請求項１】
鉄履帯に装着されるゴムパットにおいて、下面に取付けボルト付きのパットプレートを固定したゴムパットであり、シュープレートの中央部に相当の間隔をおいてシュープレートの両端部へ独立して着脱できる大きさとしたことを特徴とする鉄履帯用ゴムパット。
【請求項２】
鉄履帯に装着されるゴムパットにおいて、下面に取付けボルト付きのパットプレートを固定したゴムパットであり、シュープレートの両側部に夫々固定し、前記シュープレートの中央部に設けた泥落し孔を塞がない大きさとしたことを特徴とする鉄履帯用ゴムパット。
【請求項３】
下部にボルト頭付きのパットプレートを固定した２つのゴムパットを、シュープレートの左右両側部へ前記ボルトと、これに螺合するナットにより固定し、かつ前記シュープレートの中央部の、取付け孔及び泥落し孔を塞がないようにしたことを特徴とする鉄履帯用シュープレート付きゴムパット。
【請求項４】
下部に２本のボルト頭付きのパットプレートを固定し、該パットプレートの下面はシュープレートに当接できる形状としてある２つのゴムパットを、シュープレートの左右両側部へ、前記２本のボルトと、これに螺合するナットにより固定し、前記シュープレートの中央部の、取付け孔及び泥落し孔を塞がないようにしたことを特徴とする鉄履帯用シュープレート付きゴムパット。
【請求項５】
下部に２本のボルト頭付きのパットプレートを固定し、該パットプレートの下面を、シュープレートの凹凸に嵌合すべく凹凸形状とした２つのゴムパットを、シュープレートの左右両側部へ前記ボルトと、これに螺合するナットにより固定し、前記シュープレートの中央部の、取付け孔及び泥落し孔を塞がないようにしたことを特徴とする鉄履帯用シュープレート付きゴムパット。
【考案の詳細な説明】
【技術分野】
【０００１】
この考案は、建設機械のキャタピラーに固定するゴムパットであって、軽量化と、装着の容易性と、パット及びプレートの変形、破損を低減することを目的とした鉄履帯用ゴムパット及びシュープレート付きゴムパットに関する。
【背景技術】
【０００２】
従来普通に使用されているゴムパットは、図３（ａ）、（ｂ）のようにシュープレート１６上へ等長のゴムパット１７をフック１９とボルト２０とナット２１で固定していた。図中１８は泥落し孔である。
【０００３】
また図３（ｃ）のように２つのゴムパット１７、１７を取付け板２２ａ、２２ｂに固定し、前記取付け板２２ａ、２２ｂをシュープレート１６へボルト２０とナット２１で固着したもので、図中１９はシュープレート１６と掛止するフックである。
【特許文献１】実公昭５３−２０１０３
【特許文献２】実公昭３２−１８１４
【考案の開示】
【考案が解決しようとする課題】
【０００４】
従来使用されている単一ゴムパットをシュープレートへ固定したゴムパットにあっては（特許文献１）、１つの重量が大きくて作業上片手操作が難しく、取り扱い上不便であるのみならず、泥の排除が難しく、その為にパット又はシュープレートの変形、破損を生じるおそれがあった。また比較的ゴム量が多くなるので、価格も高騰する問題点があった。
【０００５】
またゴムパットの分離型（図３（ｃ））も知られているが、２つのゴムパットの取付け板をボルト締めする為に、取付け、取外しが複雑化する問題点があった。
【課題を解決するための手段】
【０００６】
この考案は２つのゴムパットのパットプレートをシュープレートへ当接固定することにより、シュープレートへ２つのゴムパットを固定するので、全体の重量を軽量化すると共に、取付け作業を容易にし、かつ排泥を合理化したので、排泥不良によるシュープレートなどの変形、又は破損のおそれがなくなり、前記従来の問題点を解決したのである。
【０００７】
即ちこの考案は、鉄履帯に装着されるゴムパットにおいて、下面に取付けボルト付きのパットプレートを固定したゴムパットであり、シュープレートの中央部に相当の間隔をおいてシュープレートの両端部へ独立して着脱できる大きさとしたことを特徴とする鉄履帯用ゴムパットであり、鉄履帯に装着されるゴムパットにおいて、下面に取付けボルト付きのパットプレートを固定したゴムパットであり、シュープレートの両側部に夫々固定し、前記シュープレートの中央部に設けた泥落し孔を塞がない大きさとしたことを特徴とする鉄履帯用ゴムパットである。
【０００８】
また他の考案は、下部にボルト頭付きのパットプレートを固定した２つのゴムパットを、シュープレートの左右両側部へ前記ボルトと、これに螺合するナットにより固定し、かつ前記シュープレートの中央部の、取付け孔及び泥落し孔を塞がないようにしたことを特徴とする鉄履帯用シュープレート付きゴムパットであり、下部に２本のボルト頭付きのパットプレートを固定し、該パットプレートの下面はシュープレートに当接できる形状としてある２つのゴムパットを、シュープレートの左右両側部へ、前記２本のボルトと、これに螺合するナットにより固定し、前記シュープレートの中央部の、取付け孔及び泥落し孔を塞がないようにしたことを特徴とする鉄履帯用シュープレート付きゴムパットであり、下部に２本のボルト頭付きのパットプレートを固定し、該パットプレートの下面を、シュープレートの凹凸に嵌合すべく凹凸形状とした２つのゴムパットを、シュープレートの左右両側部へ前記ボルトと、これに螺合するナットにより固定し、前記シュープレートの中央部の、取付け孔及び泥落し孔を塞がないようにしたことを特徴とする鉄履帯用シュープレート付きゴムパットである。
【０００９】
前記考案によれば、ゴムパットの下部にボルト頭を埋設すると共に、下面にパットプレートを固定し、かつ前記パットプレートをシュープレートの凹凸条に嵌装固定したので、前記パットプレートと、シュープレートとは当接面が一体的に拘束される。またシュープレートの長さに比し、ゴムパットの長さは、ほぼ３分の２程度にして、泥落し孔を露出させたので、重量の軽減と共に、価格も低減することができる。また、泥落し孔を露出させたので、付着泥は、前記泥落し孔から排出され、ゴムパットその他に過剰の圧力を与えないので、ゴムパットの破損又は変形を未然に防止することができる。
【００１０】
この考案によれば、１つのシュープレートへ固定するゴムパットを２つとして、前記シュープレートの両側部へ固定したので、接地を安定化すると共に、地面との滑り止めとなる利点がある。また取付け及び取り外しの作業性が良好である。
【考案の効果】
【００１１】
この考案によれば、重量が小さくなるので、取り扱い容易になり、シュープレートの着脱作業が容易かつ比較的短時間で完了し得る効果がある。
【００１２】
またシュープレートの泥落し孔を塞がないようにしたので、ゴムパット付近の排泥が容易となり、排泥不良に起因するパットプレート、シュープレートの変形又は損傷のおそれがないなどの効果がある。
【００１３】
次に１枚のシュープレートに２つのゴムパットを用いるので、ゴムパットの使用量が少なくなり、辷りが少なく、かつ価格も比較的低廉に押さえ得ると共に、全体として軽量化できる効果がある。
【００１４】
更にパットプレートと、シュープレートとの固定が確実となり、弛みを生じるおそれがなく、従って使用中の事故も少なくなる効果がある。
【考案を実施するための最良の形態】
【００１５】
この考案は、上面に２本のボルト頭を溶接固定したパットプレートをゴムパット本体の下面に埋設固定し、該パットプレートの下面は、シュープレートの凹凸に嵌合すべく凹凸形状とした２つのゴムパットを、シュープレートの左右両側部へ前記ボルトと、これに螺合するナットにより固定し、前記シュープレートの中央部へ設けてある取付け孔及び泥落し孔を露出させて鉄履帯用シュープレート付きゴムパットを構成した。従って、前記考案の効果を奏すると共に、耐久性も大きく、着脱が容易であり、辷りが少ないので、安全性を確保することができる。
【実施例１】
【００１６】
この考案の実施例を図１、２について説明すると、直方体１ａの上部に截頭四角錐１ｂを連設したゴムパット本体１ｃの下部に、２本の取付けボルト８、８の頭部８ａ、８ａを上面に溶接し、平面方形で、中央部へ中空の凸条７ａを設けたパットプレート７の上面を、前記ゴムパット本体１ｃの下面へ埋設固定して、この考案のゴムパット１を構成した。
【００１７】
また建設機械のキャタピラーに固定するシュープレート２は、平面矩形状であって、中央部と、両長辺に夫々平行な突条４、５、５を設けてあり、これにより生じた平面２ａ、２ａの中央部に、泥孔３、３と、取付けボルト孔１１、１１とを設け、両側部には取付けボルト８、８のボルト孔９、９が設けてある（図１（ｅ）、（ｆ））。
【００１８】
前記シュープレート２の両側部（図２）に、前記ゴムパット１、１を取付けボルト８、８とナット１２で固定すれば、この考案のシュープレート付きゴムパット１０を構成する。
【００１９】
前記実施例によれば、ゴムパット１に取付けボルト８の頭部を溶接したパットプレート７、７の突条７ａを埋設してあるので、両者は、ゴムパット本体１ａと緊密に固定される。また前記突条７ａは中空であって、シュープレート２の突条４に嵌着するので、ゴムパット１とシュープレート２との固定状態が堅固となり、弛むおそれがない。また１枚のシュープレート２に２つのゴムパット１、１を固定したので、辷り止めになると共に、シュープレート２の泥落し孔３を露出できるので、泥の排除が容易である。
【００２０】
またシュープレート７と、ゴムパット１との固定は、取付けボルト８とナット１２との螺合でよいので、固定又は取り外しが容易である。
【図面の簡単な説明】
【００２１】
【図１】（ａ）この考案のゴムパットの実施例の正面図、（ｂ）同じくゴムパットの実施例の一部を切断した正面図、（ｃ）同じくパットプレートの平面図、（ｄ）同じくゴムパットの実施例の縦断側面図、（ｅ）同じくシュープレートの平面図、（ｆ）同じくシュープレートの正面図。
【図２】（ａ）同じくシュープレート付きゴムパットの実施例の一部を省略した平面図、（ｂ）同じく正面図、（ｃ）同じく側面図。
【図３】（ａ）従来のゴムパットの正面図、（ｂ）同じく平面図、（ｃ）同じく他のゴムパットの正面図。
【符号の説明】
【００２２】
１  ゴムパット
２  シュープレート
３  泥落し孔
４、５、５  シュープレートの突条
７  パットプレート
８  取付けボルト
１０  シュープレート付きゴムパット
【図１】
0003126391.tif 000003
【図２】
0003126391.tif 000004
【図３】
0003126391.tif 000005
【手続補正書】
【提出日】平成18年8月17日(2006.8.17)
【手続補正１】
【補正対象書類名】実用新案登録請求の範囲
【補正対象項目名】全文
【補正方法】変更
【補正の内容】
【実用新案登録請求の範囲】
【請求項１】
鉄履帯に装着されるゴムパットにおいて、下面に取付けボルト付きのパットプレートを固定したゴムパットであり、シュープレートの中央部に相当の間隔をおいてシュープレートの両端部へ独立して着脱できる大きさとしたことを特徴とする鉄履帯用ゴムパット。
【請求項２】
鉄履帯に装着されるゴムパットにおいて、下面に取付けボルト付きのパットプレートを固定したゴムパットであり、シュープレートの両側部に夫々固定し、前記シュープレートの中央部に設けた泥落し孔を塞がない大きさとしたことを特徴とする鉄履帯用ゴムパット。
【請求項３】
請求項１又は２記載の鉄履帯用ゴムパットであって、前記ゴムパット２つを、シュープレートの左右両側部へ、前記取付けボルトと、これに螺合するナットにより夫々固定し、かつ前記シュープレートの中央部の、取付け孔及び泥落し孔を塞がないようにしたことを特徴とする鉄履帯用シュープレート付きゴムパット。
【請求項４】
請求項１又は２記載の鉄履帯用ゴムパットであって、前記ゴムパットのパットプレートの下面はシュープレートに当接できる形状としてあり、このゴムパット２つを、シュープレートの左右両側部へ、前記２本の取付けボルトと、これに螺合するナットにより夫々固定し、前記シュープレートの中央部の、取付け孔及び泥落し孔を塞がないようにしたことを特徴とする鉄履帯用シュープレート付きゴムパット。
【請求項５】
請求項１又は２記載の鉄履帯用ゴムパットであって、前記ゴムパットのパットプレートの下面を、シュープレートの凹凸に嵌合すべく凹凸形状としたゴムパット２つを、シュープレートの左右両側部へ前記取付けボルトと、これに螺合するナットにより夫々固定し、前記シュープレートの中央部の、取付け孔及び泥落し孔を塞がないようにしたことを特徴とする鉄履帯用シュープレート付きゴムパット。